(57)【要約】【課題】非ＳＩＰ端末を用いて、ＳＩＰを利用した様々なネットワークサービスを利用することを可能とするＶｏＩＰアダプタ、通信システム、及び、通信方法を提供する。【解決手段】電話機２０は、プッシュボタンに対応したＤＴＭＦ信号を送信する。ＶｏＩＰアダプタ１０の信号送受信部１１は、所定のＳＩＰサービスを要求するためのＤＴＭＦ信号を電話機２０から受信する。ＤＴＭＦ認識部１２は、信号送受信部１１により受信されたＤＴＭＦ信号を認識する。変換部１３は、ＤＴＭＦ認識部１２により認識されたＤＴＭＦ信号を、予め定められた変換ルールに従って、前記所定のＳＩＰサービスを実現するためのＳＩＰメッセージに変換する。ＳＩＰメッセージ送信部１４は、変換部１３による変換により生成されたＳＩＰメッセージを、ＩＰＮＷ３０を介して送信する。【選択図】図２
2010220168.tif 000002
【特許請求の範囲】
【請求項１】
ＳＩＰ（Session Initiation Protocol）がサポートされておらずかつＤＴＭＦ（Dual Tone Multi Frequency）信号を送信可能な非ＳＩＰ端末に接続されているＶｏＩＰアダプタであって、
前記非ＳＩＰ端末から、所定のＳＩＰサービスを要求するためのＤＴＭＦ信号を受信する信号送受信手段と、
前記信号送受信手段により受信されたＤＴＭＦ信号を認識するＤＴＭＦ認識手段と、
前記ＤＴＭＦ認識手段により認識されたＤＴＭＦ信号を、予め定められた変換ルールに従って、前記所定のＳＩＰサービスを実現するためのＳＩＰメッセージに変換する変換手段と、
前記変換手段による変換により生成されたＳＩＰメッセージを、ＩＰ（Internet Protocol）ネットワークを介して送信するＳＩＰメッセージ送信手段と
を備えたことを特徴とするＶｏＩＰアダプタ。
【請求項２】
前記所定のＳＩＰサービスを要求するためのＤＴＭＦ信号は、前記非ＳＩＰ端末に対するユーザの操作により、前記非ＳＩＰ端末から送信されたものであることを特徴とする請求項１に記載のＶｏＩＰアダプタ。
【請求項３】
前記所定のＳＩＰサービスには、留守番電話転送と、外部サーバに蓄積された保留音を保留中に出力するメロディ保留と、の少なくとも一方が含まれることを特徴とする請求項１又は２に記載のＶｏＩＰアダプタ。
【請求項４】
ＳＩＰ（Session Initiation Protocol）がサポートされておらずかつＤＴＭＦ（Dual Tone Multi Frequency）信号を送信可能な非ＳＩＰ端末と、該非ＳＩＰ端末に接続されたＶｏＩＰアダプタとを含む通信システムであって、
前記ＶｏＩＰアダプタは、
前記非ＳＩＰ端末から、所定のＳＩＰサービスを要求するためのＤＴＭＦ信号を受信する信号送受信手段と、
前記信号送受信手段により受信されたＤＴＭＦ信号を認識するＤＴＭＦ認識手段と、
前記ＤＴＭＦ認識手段により認識されたＤＴＭＦ信号を、予め定められた変換ルールに従って、前記所定のＳＩＰサービスを実現するためのＳＩＰメッセージに変換する変換手段と、
前記変換手段による変換により生成されたＳＩＰメッセージを、ＩＰ（Internet Protocol）ネットワークを介して送信するＳＩＰメッセージ送信手段と
を備えたことを特徴とする通信システム。
【請求項５】
ＳＩＰ（Session Initiation Protocol）がサポートされておらずかつＤＴＭＦ（Dual Tone Multi Frequency）信号を送信可能な非ＳＩＰ端末と、該非ＳＩＰ端末に接続されたＶｏＩＰアダプタとを含む通信システムが行うＩＰ（Internet Protocol）ネットワークを介した通信方法であって、
前記非ＳＩＰ端末が、所定のＳＩＰサービスを要求するためのＤＴＭＦ信号を送信するＤＴＭＦ信号送信ステップと、
前記ＶｏＩＰアダプタが、前記ＤＴＭＦ信号送信手段により送信されたＤＴＭＦ信号を認識するＤＴＭＦ認識ステップと、
前記ＶｏＩＰアダプタが、前記ＤＴＭＦ認識ステップにおいて認識されたＤＴＭＦ信号を、予め定められた変換ルールに従って、前記所定のＳＩＰサービスを実現するためのＳＩＰメッセージに変換する変換ステップと、
前記ＶｏＩＰアダプタが、前記変換ステップにおける変換により生成されたＳＩＰメッセージを、ＩＰ（Internet Protocol）ネットワークを介して送信するＳＩＰメッセージ送信ステップと
を備えたことを特徴とする通信方法。
【請求項６】
セッションの確立及び切断以外の、転送、保留等の高度音声サービスがサポートされておらずかつＤＴＭＦ（Dual Tone Multi Frequency）信号を送信可能な通信端末に接続されているＶｏＩＰアダプタであって、
前記通信端末から、所定の高度音声サービスを要求するためのＤＴＭＦ信号を受信する信号送受信手段と、
前記信号送受信手段により受信されたＤＴＭＦ信号を認識するＤＴＭＦ認識手段と、
前記ＤＴＭＦ認識手段により認識されたＤＴＭＦ信号を、予め定められた変換ルールに従って、前記所定の高度音声サービスを実現するためのメッセージに変換する変換手段と、
前記変換手段による変換により生成されたメッセージを、ＩＰ（Internet Protocol）ネットワークを介して送信するメッセージ送信手段と
を備えたことを特徴とするＶｏＩＰアダプタ。
【請求項７】
前記所定の高度音声サービスを要求するためのＤＴＭＦ信号は、前記通信端末に対するユーザの操作により、前記通信端末から送信されたものであることを特徴とする請求項６に記載のＶｏＩＰアダプタ。
【請求項８】
前記所定の高度音声サービスには、留守番電話転送と、外部サーバに蓄積された保留音を保留中に出力するメロディ保留と、の少なくとも一方が含まれることを特徴とする請求項６又は７に記載のＶｏＩＰアダプタ。
【請求項９】
セッションの確立及び切断以外の、転送、保留等の高度音声サービスがサポートされておらずかつＤＴＭＦ（Dual Tone Multi Frequency）信号を送信可能な通信端末と、該通信端末に接続されたＶｏＩＰアダプタとを含む通信システムが行うＩＰ（Internet Protocol）ネットワークを介した通信方法であって、
前記通信端末が、所定の高度音声サービスを要求するためのＤＴＭＦ信号を送信するＤＴＭＦ信号送信ステップと、
前記ＶｏＩＰアダプタが、前記ＤＴＭＦ信号送信手段により送信されたＤＴＭＦ信号を認識するＤＴＭＦ認識ステップと、
前記ＶｏＩＰアダプタが、前記ＤＴＭＦ認識ステップにおいて認識されたＤＴＭＦ信号を、予め定められた変換ルールに従って、前記所定の高度音声サービスを実現するためのメッセージに変換する変換ステップと、
前記ＶｏＩＰアダプタが、前記変換ステップにおける変換により生成されたメッセージを、ＩＰ（Internet Protocol）ネットワークを介して送信するメッセージ送信ステップと
を備えたことを特徴とする通信方法。
【発明の詳細な説明】
【技術分野】
【０００１】
本発明は、固定電話機を用いてＩＰネットワークを介した通信を行うためのＶｏＩＰアダプタ、該ＶｏＩＰアダプタを含む通信システム、及び、該ＶｏＩＰアダプタを用いた通信方法に関する。
【背景技術】
【０００２】
データ通信の需要の増加により、ＩＰ（Internet Protocol）ネットワーク（以下「ＩＰＮＷ」ともいう）を介して音声通信を行うＶｏＩＰ（Voice over Internet Protocol）サービス／インターネット電話が普及してきている。特に、近年では、地域電話番号でのＩＰＮＷを介した発着信サービスも提供されており、既存の公衆電話回線網（ＰＳＴＮ：Public Switched Telephone Networks）からＩＰＮＷへの移行が進められている。こういった流れに合わせ、ＶｏＩＰサービスをＩＰＮＷで実現するために、ＳＩＰ（Session Initiation Protocol）と呼ばれる呼制御プロトコルが普及してきている。
【０００３】
しかしながら、公衆電話回線網からＩＰＮＷに移行するためには、ユーザは、ＶｏＩＰサービスをサポートしていない従来の公衆電話回線用の電話機から、ＶｏＩＰサービスをサポートする端末に買い換える必要があった。
このような問題点を解決するために、ＶｏＩＰサービスをサポートしていない公衆電話回線用の電話機を用いてＩＰＮＷを利用できるようにする装置として、ＶｏＩＰ（Voice over Internet Protocol）アダプタが開発されている（例えば、特許文献１参照）。当該ＶｏＩＰアダプタを公衆電話回線用の電話機に接続することで、ユーザは新たに端末を購入しなくてもＩＰＮＷを利用することが可能となる。
【０００４】
しかしながら、上記ＶｏＩＰアダプタの開発は、ＲＴＰ（Ｒｅａｌ−ｔｉｍｅ  Ｔｒａｎｓｐｏｒｔ  Ｐｒｏｔｏｃｏｌ）をアナログに変換することや、着信者番号通知等の従来の公衆電話回線用の電話機で利用可能な限定的なサービスをサポートすることに主眼が置かれており、上記ＶｏＩＰアダプタを用いても、ＩＥＴＦ（Internet Engineering Task Force）や３ＧＰＰ（3rd Generation Partnership Project）で規定されるＳＩＰを利用した様々なサービス（例えば、保留転送、留守電転送、三者通話等）を利用することができなかった。
【０００５】
ＳＩＰをサポートしていない非ＳＩＰ端末でＩＰＮＷを利用可能とする技術としては、例えば特許文献２，３に記載のものがある。
特許文献２には、ＩＰネットワークを介して電話機同士の通話を可能とすることが記載されている。特許文献２に記載のインターネット電話ゲートウェイは、電話機からのＤＴＭＦ（Dual Tone Multi Frequency）信号を公衆電話回線網を介して受信すると、当該ＤＴＭＦ信号をディジットに変換し、インターネット電話プロトコル信号特別メッセージ内にそのディジットをパッケージして、ＩＰネットワークを経由して相手電話機の公衆電話回線網まで転送する。
【０００６】
また、特許文献３には、非ＳＩＰ端末（ＵＳＢデバイス、電子カメラ、パーソナルコンピュータ、ＩＰ電話機以外の電話機等）の電源ＯＮ／ＯＦＦ・スイッチやボタンによる接点情報の変化、非ＳＩＰ端末とＳＩＰコンバータとのＵＳＢケーブル接続等のトリガが発生した場合に、ＳＩＰコンバータ装置が非ＳＩＰ端末に代行してＳＩＰセッションの確立や切断を行うことが記載されている。
【先行技術文献】
【特許文献】
【０００７】
【特許文献１】特開２００６−２５１０２号公報
【特許文献２】特表２００３−５０２９０７号公報
【特許文献３】特開２００８−３１１９０５号公報
【発明の概要】
【発明が解決しようとする課題】
【０００８】
特許文献２に記載の技術は、公衆電話回線網で規定されているＤＴＭＦ信号を、ＩＰＮＷを介して相手電話機の公衆電話回線網まで転送する技術である。したがって、公衆電話回線網に接続されている電話機から送信される信号は公衆電話回線網で規定されている信号のみであり、電話機が受けることができるサービスも公衆電話サービスのみである。したがって、特許文献２に記載の技術を用いたとしても、ＳＩＰを利用した様々なサービスを利用することはできない。
【０００９】
また、特許文献３には、非ＳＩＰ端末からの各種トリガに基づいてセッションの確立や切断を行うことが記載されているが、セッションが確立されてから転送や保留を行うことは検討されていない。したがって、特許文献３に記載の技術を用いても、発信および切断以外のＳＩＰを利用した様々なサービスを利用することはできない。
本発明は上記問題点を解決するためになされたものであり、非ＳＩＰ端末を用いて、ＳＩＰを利用した様々なネットワークサービスを利用することを可能とするＶｏＩＰアダプタ、通信システム、及び、通信方法を提供することを目的とする。
【課題を解決するための手段】
【００１０】
上記課題を解決するために、請求項１に記載のＶｏＩＰアダプタは、ＳＩＰ（Session Initiation Protocol）がサポートされておらずかつＤＴＭＦ（Dual Tone Multi Frequency）信号を送信可能な非ＳＩＰ端末に接続されているＶｏＩＰアダプタであって、前記非ＳＩＰ端末から、所定のＳＩＰサービスを要求するためのＤＴＭＦ信号を受信する信号送受信手段と、前記信号送受信手段により受信されたＤＴＭＦ信号を認識するＤＴＭＦ認識手段と、前記ＤＴＭＦ認識手段により認識されたＤＴＭＦ信号を、予め定められた変換ルールに従って、前記所定のＳＩＰサービスを実現するためのＳＩＰメッセージに変換する変換手段と、前記変換手段による変換により生成されたＳＩＰメッセージを、ＩＰ（Internet Protocol）ネットワークを介して送信するＳＩＰメッセージ送信手段とを備えたことを特徴とする。
【００１１】
本発明によれば、ＶｏＩＰアダプタは、非ＳＩＰ端末から受信した、所定のＳＩＰサービスを要求するためのＤＴＭＦ信号を、予め定められた変換ルールに従って変換することにより、前記所定のＳＩＰサービスを実現するためのＳＩＰメッセージを生成し、ＩＰネットワークを介して送信する。したがって、非ＳＩＰ端末から出力可能な各ＤＴＭＦ信号に対応するＳＩＰサービスを定義しておき、前記ＤＴＭＦ信号を、前記ＳＩＰサービスを実現するためのＳＩＰメッセージに変換する変換ルールを定めておくことで、非ＳＩＰ端末を用いてＳＩＰにより実現される様々なネットワークサービスを利用することが可能となる。
【００１２】
請求項２に記載のＶｏＩＰアダプタは、請求項１において、前記所定のＳＩＰサービスを要求するためのＤＴＭＦ信号は、前記非ＳＩＰ端末に対するユーザの操作により、前記非ＳＩＰ端末から送信されたものであることを特徴とする。
本発明によれば、ユーザは、非ＳＩＰ端末を用いて、ユーザが所望するＳＩＰサービスに対応するＤＴＭＦ信号を出力するための操作を行うことで、ユーザの所望するＳＩＰサービスを利用することが可能となる。
【００１３】
請求項３に記載のＶｏＩＰアダプタは、請求項１又は２において、前記所定のＳＩＰサービスには、留守番電話転送と、外部サーバに蓄積された保留音を保留中に出力するメロディ保留と、の少なくとも一方が含まれることを特徴とする。
本発明によれば、ユーザはＳＩＰならではの高度なサービスを利用することができる。
【００１４】
請求項４に記載の通信システムは、ＳＩＰ（Session Initiation Protocol）がサポートされておらずかつＤＴＭＦ（Dual Tone Multi Frequency）信号を送信可能な非ＳＩＰ端末と、該非ＳＩＰ端末に接続されたＶｏＩＰアダプタとを含む通信システムであって、前記ＶｏＩＰアダプタは、前記非ＳＩＰ端末から、所定のＳＩＰサービスを要求するためのＤＴＭＦ信号を受信する信号送受信手段と、前記信号送受信手段により受信されたＤＴＭＦ信号を認識するＤＴＭＦ認識手段と、前記ＤＴＭＦ認識手段により認識されたＤＴＭＦ信号を、予め定められた変換ルールに従って、前記所定のＳＩＰサービスを実現するためのＳＩＰメッセージに変換する変換手段と、前記変換手段による変換により生成されたＳＩＰメッセージを、ＩＰ（Internet Protocol）ネットワークを介して送信するＳＩＰメッセージ送信手段とを備えたことを特徴とする。
【００１５】
本発明によれば、ＶｏＩＰアダプタは、非ＳＩＰ端末から受信した、所定のＳＩＰサービスを要求するためのＤＴＭＦ信号を、予め定められた変換ルールに従って変換することにより、前記所定のＳＩＰサービスを実現するためのＳＩＰメッセージを生成し、ＩＰネットワークを介して送信する。したがって、非ＳＩＰ端末から出力可能な各ＤＴＭＦ信号に対応するＳＩＰサービスを定義しておき、前記ＤＴＭＦ信号を、前記ＳＩＰサービスを実現するためのＳＩＰメッセージに変換する変換ルールを定めておくことで、非ＳＩＰ端末を用いてＳＩＰにより実現される様々なネットワークサービスを利用することが可能となる。
【００１６】
請求項５に記載の通信方法は、ＳＩＰ（Session Initiation Protocol）がサポートされておらずかつＤＴＭＦ（Dual Tone Multi Frequency）信号を送信可能な非ＳＩＰ端末と、該非ＳＩＰ端末に接続されたＶｏＩＰアダプタとを含む通信システムが行うＩＰ（Internet Protocol）ネットワークを介した通信方法であって、前記非ＳＩＰ端末が、所定のＳＩＰサービスを要求するためのＤＴＭＦ信号を送信するＤＴＭＦ信号送信ステップと、前記ＶｏＩＰアダプタが、前記ＤＴＭＦ信号送信手段により送信されたＤＴＭＦ信号を認識するＤＴＭＦ認識ステップと、前記ＶｏＩＰアダプタが、前記ＤＴＭＦ認識ステップにおいて認識されたＤＴＭＦ信号を、予め定められた変換ルールに従って、前記所定のＳＩＰサービスを実現するためのＳＩＰメッセージに変換する変換ステップと、前記ＶｏＩＰアダプタが、前記変換ステップにおける変換により生成されたＳＩＰメッセージを、ＩＰ（Internet Protocol）ネットワークを介して送信するＳＩＰメッセージ送信ステップとを備えたことを特徴とする。
【００１７】
本発明によれば、ＶｏＩＰアダプタは、非ＳＩＰ端末から受信した、所定のＳＩＰサービスを要求するためのＤＴＭＦ信号を、予め定められた変換ルールに従って変換することにより、前記所定のＳＩＰサービスを実現するためのＳＩＰメッセージを生成し、ＩＰネットワークを介して送信する。したがって、非ＳＩＰ端末から出力可能な各ＤＴＭＦ信号に対応するＳＩＰサービスを定義しておき、前記ＤＴＭＦ信号を、前記ＳＩＰサービスを実現するためのＳＩＰメッセージに変換する変換ルールを定めておくことで、非ＳＩＰ端末を用いてＳＩＰにより実現される様々なネットワークサービスを利用することが可能となる。
【００１８】
請求項６に記載のＶｏＩＰアダプタは、セッションの確立及び切断以外の、転送、保留等の高度音声サービスがサポートされておらずかつＤＴＭＦ（Dual Tone Multi Frequency）信号を送信可能な通信端末に接続されているＶｏＩＰアダプタであって、前記通信端末から、所定の高度音声サービスを要求するためのＤＴＭＦ信号を受信する信号送受信手段と、前記信号送受信手段により受信されたＤＴＭＦ信号を認識するＤＴＭＦ認識手段と、前記ＤＴＭＦ認識手段により認識されたＤＴＭＦ信号を、予め定められた変換ルールに従って、前記所定の高度音声サービスを実現するためのメッセージに変換する変換手段と、前記変換手段による変換により生成されたメッセージを、ＩＰ（Internet Protocol）ネットワークを介して送信するメッセージ送信手段とを備えたことを特徴とする。
【００１９】
本発明によれば、ＶｏＩＰアダプタは、前記通信端末から受信した、所定の高度音声サービスを要求するためのＤＴＭＦ信号を、予め定められた変換ルールに従って変換することにより、前記所定の高度音声サービスを実現するためのメッセージを生成し、ＩＰネットワークを介して送信する。したがって、前記通信端末から出力可能な各ＤＴＭＦ信号に対応するサービスを定義しておき、前記ＤＴＭＦ信号を、前記サービスを実現するためのメッセージに変換する変換ルールを定めておくことで、前記通信端末を用いて様々な高度音声サービスを利用することが可能となる。
【００２０】
請求項７に記載のＶｏＩＰアダプタは、請求項６において、前記所定の高度音声サービスを要求するためのＤＴＭＦ信号は、前記通信端末に対するユーザの操作により、前記通信端末から送信されたものであることを特徴とする。
本発明によれば、ユーザは、通信端末を用いて、ユーザが所望するサービスに対応するＤＴＭＦ信号を出力するための操作を行うことで、ユーザの所望する高度音声サービスを利用することが可能となる。
【００２１】
請求項８に記載のＶｏＩＰアダプタは、請求項６又は７において、前記所定の高度音声サービスには、留守番電話転送と、外部サーバに蓄積された保留音を保留中に出力するメロディ保留と、の少なくとも一方が含まれることを特徴とする。
本発明によれば、ユーザは高度な音声サービスを利用することができる。
【００２２】
請求項９に記載の通信方法は、セッションの確立及び切断以外の、転送、保留等の高度音声サービスがサポートされておらずかつＤＴＭＦ（Dual Tone Multi Frequency）信号を送信可能な通信端末と、該通信端末に接続されたＶｏＩＰアダプタとを含む通信システムが行うＩＰ（Internet Protocol）ネットワークを介した通信方法であって、前記通信端末が、所定の高度音声サービスを要求するためのＤＴＭＦ信号を送信するＤＴＭＦ信号送信ステップと、前記ＶｏＩＰアダプタが、前記ＤＴＭＦ信号送信手段により送信されたＤＴＭＦ信号を認識するＤＴＭＦ認識ステップと、前記ＶｏＩＰアダプタが、前記ＤＴＭＦ認識ステップにおいて認識されたＤＴＭＦ信号を、予め定められた変換ルールに従って、前記所定の高度音声サービスを実現するためのメッセージに変換する変換ステップと、前記ＶｏＩＰアダプタが、前記変換ステップにおける変換により生成されたメッセージを、ＩＰ（Internet Protocol）ネットワークを介して送信するメッセージ送信ステップとを備えたことを特徴とする。
【発明の効果】
【００２３】
本発明によれば、ＶｏＩＰアダプタは、非ＳＩＰ端末から受信した、所定のＳＩＰサービスを要求するためのＤＴＭＦ信号を、予め定められた変換ルールに従って変換することにより、前記所定のＳＩＰサービスを実現するためのＳＩＰメッセージを生成し、ＩＰネットワークを介して送信する。したがって、非ＳＩＰ端末から出力可能な各ＤＴＭＦ信号に対応するＳＩＰサービスを定義しておき、前記ＤＴＭＦ信号を、前記ＳＩＰサービスを実現するためのＳＩＰメッセージに変換する変換ルールを定めておくことで、非ＳＩＰ端末を用いてＳＩＰにより実現される様々なネットワークサービスを利用することが可能となる。
【図面の簡単な説明】
【００２４】
【図１】本発明の実施形態に係る通信ネットワークの全体構成を示す図である。
【図２】同実施形態に係るＶｏＩＰアダプタ１０の機能構成を示すブロック図である。
【図３】同実施形態に係る変換ルールの一例を示す図である。
【図４】同実施形態に係る留守番電話転送処理の手順を示すシーケンス図である。
【図５】同実施形態に係るメロディ保留処理の手順を示すシーケンス図である。
【発明を実施するための形態】
【００２５】
以下、本発明の実施形態を、図面を参照して説明する。なお、以下の説明において参照する各図では、他の図と同等の構成要素は同一符号によって示されている。
図１は、本発明の実施形態に係る通信ネットワークの全体構成を示す図である。本実施形態に係る通信ネットワークは、３ＧＰＰで規定されるＩＭＳ（IP Multimedia Subsystem）のコアＮＷアーキテクチャをベースに、ＳＩＰ−ＡＳ（Session Initiation Protocol - Application Server）５０及びＣＳＣＦ（Call Session Control Function）４０を含むＩＰネットワーク（以下「ＩＰＮＷ」という）３０と、宅内に設置された電話機２０と、電話機２０及びＩＰＮＷ３０に接続されたＶｏＩＰアダプタ１０と、を含んで構成されるものとする。
【００２６】
通信ネットワークを構成するこれらの各装置は、ハードウェアとして、図示せぬ、装置全体を制御するＣＰＵ（Central Processing Unit）と、プログラムやデータ等のソフトウェアが記憶されるＲＡＭ（Random Access Memory）、ＲＯＭ（Read Only Memory）、ハードディスク等の記憶装置と、通信を制御する通信インターフェースとを備えている。
ＣＳＣＦ４０は、ＩＰＮＷ３０を介して通信を行う端末の識別子を管理し、ＳＩＰメッセージの送受信を中継する。
【００２７】
ＳＩＰ−ＡＳ５０は、各種アプリケーションサービスを実現するためにＣＳＣＦ４０との間でＳＩＰメッセージを送受信する。
電話機２０は、図示せぬ公衆電話回線網（ＰＳＴＮ：Public Switched Telephone Networks）を介して音声通話が可能なプッシュ式の固定電話機である。また、電話機２０は、ＩＰＮＷ３０を介した通信を可能とするＳＩＰ（Session Initiation Protocol）をサポートしていない非ＳＩＰ端末である。
【００２８】
電話機２０は、複数の各プッシュボタンの種別に対応したＤＴＭＦ（Dual Tone Multi Frequency）信号を発生させる回路を備えている。ＤＴＭＦ信号は、低群、高群の２つの音声周波数帯域の信号音で構成されており、０から９までの数字、及び＊、＃、Ａ、Ｂ、Ｃ、Ｄの記号の、計１６種類の符号を表現することができる。電話機２０は、プッシュボタンが押下された時に、当該押下されたプッシュボタンに対応するＤＴＭＦ信号を生成し、当該ＤＴＭＦ信号をＶｏＩＰアダプタ１０に送信するＤＴＭＦ信号送信手段を備えている。
ＶｏＩＰアダプタ１０は、電話機２０によるＩＰＮＷ３０を介した通信を可能とするアダプタである。
【００２９】
図２には、ＶｏＩＰアダプタ１０の機能構成を示す。同図に示すように、ＶｏＩＰアダプタ１０は、信号送受信部１１と、ＤＴＭＦ（Dual Tone Multi Frequency）認識部１２と、変換部１３と、ＳＩＰメッセージ送信部１４と、信号送受信部１５とを備えている。これらの機能は、ＶｏＩＰアダプタ１０が備えるハードウェアとソフトウェアとが協働して動作することによって実現される機能である。
【００３０】
信号送受信部１１は、電話機２０との信号の送受信を制御する。電話機２０から受信される信号には、ユーザが発声した音声を表す音声信号、電話機２０のプッシュボタンが押下されることにより生成されるＤＴＭＦ信号等が含まれる。
信号送受信部１５は、ＩＰＮＷ３０を介したパケット信号の送受信を制御する。
ＤＴＭＦ認識部１２は、各種周波数フィルタ、検出回路、コード変換機等を含んで構成され、信号送受信部１１が受信した信号に含まれるＤＴＭＦ信号を解析してデジタル信号に変換することで、前記ＤＴＭＦ信号が示す数字や記号を認識可能とする。
【００３１】
変換部１３は、予め定められた変換ルールに従って、ＤＴＭＦ認識部１２により認識されたＤＴＭＦ信号を、所定のＳＩＰサービスを実現するためのＳＩＰメッセージに変換する。
なお、予め定められた変換ルールは、変換テーブルとしてＶｏＩＰアダプタ１０の記憶装置に記憶されていてもよいし、或いは、記憶装置に記憶されているプログラムに記述されていてもよい。変換ルールが変換テーブルとして記憶装置に記憶されている場合には、ＶｏＩＰアダプタ１０のＣＰＵは、記憶装置に記憶されている変換テーブルに従って変換処理を行う。変換ルールがプログラムに記述されている場合には、ＶｏＩＰアダプタ１０のＣＰＵは、当該変換ルールが記述されたプログラムに従って、変換処理を行う。
【００３２】
図３は、変換ルールの一例を示す図である。同図に示すように、変換ルールは、ＤＴＭＦ信号の種類と、当該ＤＴＭＦ信号を電話機２０から受信した場合に生成すべきＳＩＰメッセージと、が対応付けられて記憶されている。
例えば、電話機２０から呼出し音が出力されている時にユーザが受話器をオフフックし、呼出しに応答するために電話機２０のプッシュボタン「１」を押下した場合、変換部１３は、変換ルールに基づいて、ＳＩＰメッセージ「ＳＩＰ＿Ｉｎｖｉｔｅ＿ＯＫ」を生成する。
【００３３】
また、ユーザが電話機２０で通話している最中に、メロディ保留を行うためにプッシュボタン「２」を押下した場合、変換部１３は、変換ルールに基づいて、メロディサーバに送信するためのＳＩＰメッセージ「ＳＩＰ＿Ｉｎｖｉｔｅ  ｎｏ  ｓｄｐ」及び相手端末に送信するためのＳＩＰメッセージ「ＳＩＰ＿Ｉｎｖｉｔｅ」を生成する。
また、ユーザが電話機２０で通話している最中又はオンフックした後に、通話を終了するためにプッシュボタン「＊」を押下した場合、変換部１３は、変換ルールに基づいて、ＳＩＰメッセージ「ＳＩＰ＿Ｂｙｅ」を生成する。
【００３４】
また、ユーザが電話機２０で通話中又は保留中に、所定の転送先への転送を行うために、プッシュボタン「３」を押下した場合、変換部１３は変換ルールに基づいて、ユーザにより入力された転送先電話番号又は予め登録されている電話番号を「Ｒｅｆｅｒ  ｔｏ」に指定したＳＩＰメッセージ「ＳＩＰ＿ｒｅｆｅｒ／ｒｅｐｌａｃｅ」を生成する。
また、電話機２０から呼出し音が出力されている時にユーザが受話器をオフフックした後、或いは通話中又は保留中に、留守番電話サービスを起動して相手端末を留守番電話サービスセンタに接続させるために、プッシュボタン「４」を押下した場合、変換部１３は、変換ルールに基づいて、例えば留守番電話サービスセンタのＳＩＰ  ＵＲＩをヘッダに記述し、かつ、留守電起動を示す所定のパラメータをボディ部に記述した、ＳＩＰメッセージ「ＳＩＰ＿ｒｅｆｅｒ」を生成する。
【００３５】
また、ユーザが電話機２０で通話中又は保留中に、三者通話を行うために、電話機２０のプッシュボタン「５」を押下し、追加先電話番号として「Ａ」を入力した場合、変換部１３は、変換ルールに基づいて、ＳＩＰメッセージ「ＳＩＰ＿Ｉｎｖｉｔｅ  ｔｏ：電話番号（Ａ）」を生成する。
また、電話機２０から呼出し音が出力されている時にユーザが受話器をオフフックし、迷惑電話ストップサービスを起動して相手端末を迷惑電話ストップサービスセンタと接続させるために、プッシュボタン「６」を押下した場合、変換部１３は、変換ルールに基づいて、ＳＩＰメッセージ「Ｕｓｅ  Ｐｒｏｘｙ  ３０５」を生成する。
【００３６】
図３に示すメロディ保留音、保留伝送、留守電起動、三者通話、迷惑電話Ｓｔｏｐサービスの各サービスは、ＳＩＰにより実現されるサービスの例であるが、上記のような変換ルールを用いて、ＳＩＰサービスを要求するためのＤＴＭＦ信号を、当該ＳＩＰサービスを実現するためのＳＩＰメッセージに変換することで、ユーザは、ＳＩＰがサポートされていない公衆電話回線用の電話機２０を用いて、公衆電話回線では利用できないＳＩＰサービスの提供を受けることが可能となる。
ＳＩＰメッセージ送信部１４は、変換部１３による変換により生成されたＳＩＰメッセージを、信号送受信部１５からＩＰＮＷ３０に送信する。
【００３７】
（動作例）
次に、ＶｏＩＰアダプタ１０に接続された電話機２０を用いて、ＳＩＰサービスを利用する場合の動作例について説明する。
（留守番電話転送）
まず、図４に示すシーケンス図を参照して、電話機２０の呼出し音が鳴っている時に、ユーザが受話器をオフフックしてプッシュボタン「４」を押下した場合に行われる留守番電話転送処理の手順について説明する。
【００３８】
まず、図示せぬ相手端末が、電話機２０宛に発信する。これにより、ＩＰＮＷ３０は、ＳＩＰ＿ＩＮＶＩＴＥをＶｏＩＰアダプタ１０に送信する（ステップＳ１０１）。
ＳＩＰ＿ＩＮＶＩＴＥを受信したＶｏＩＰアダプタ１０は、電話機２０を呼び出す（ステップＳ１０２）。これにより、電話機２０は呼出し音を出力し、ユーザは電話機２０の受話器をオフフックする（ステップＳ１０３）。
【００３９】
電話機２０は、オフフックを検知して、オフフックの検知信号をＶｏＩＰアダプタ１０に送信する（ステップＳ１０４）。これにより、ＶｏＩＰアダプタ１０は、電話機２０のオフフックを認識する（ステップＳ１０５）。
オフフック後、ユーザは、留守番電話サービスを起動して相手端末を留守番電話サービスセンタに接続させるために、電話機２０のプッシュボタン「４」を押下する（ステップＳ１０６）。これにより、電話機２０は、「４」を表すＤＴＭＦ信号をＶｏＩＰアダプタ１０に送信する（ステップＳ１０７）。
【００４０】
ＶｏＩＰアダプタ１０が信号送受信部１１を介してＤＴＭＦ信号を受信すると、ＤＴＭＦ認識部１２は、当該ＤＴＭＦ信号が「４」を表していることを認識する（ステップＳ１０８）。
ＶｏＩＰアダプタ１０の変換部１３は、変換ルールに基づいて、留守番電話サービスセンタのＳＩＰ  ＵＲＩをヘッダに記述し、かつ留守電起動を示すパラメータをＮＷが規定する所定の部分（ヘッダあるいはボディ部）に記述した、ＳＩＰメッセージ「ＳＩＰ＿ｒｅｆｅｒ」を生成し、発信者／ＩＰＮＷに対して、留守番電話サービスセンタへの転送を指示する（ステップＳ１０９）。
ＳＩＰメッセージ送信部１４は、当該ＳＩＰメッセージを信号送受信部１５からＩＰＮＷ３０に送信する（ステップＳ１１０）。
【００４１】
当該ＳＩＰメッセージは、ＩＰＮＷ３０のＳＩＰ−ＡＳ５０及びＣＳＣＦ４０を介して相手端末に転送される。その後、ＳＩＰの手順に従って、ＶｏＩＰアダプタ１０と相手端末とのセッションは切断されて、相手端末と留守番電話サービスセンタとのセッションが確立される（ステップＳ１１１）。これにより、通信相手はメッセージを留守番電話サービスセンタに録音する。メッセージの録音終了後、留守番電話サービスセンタは、留守番電話メッセージが録音された旨を予め登録されている通信端末に通知する。
【００４２】
このように、電話機２０が留守番電話機能を有していない場合でも、相手端末の電話機２０への着信を留守番電話サービスセンタに転送することができる。
このような留守番電話サービスを利用することで、例えば、ユーザが出かける直前に電話機２０に着信があった場合、ユーザは電話機２０をオフフックしてプッシュボタン「４」を押下することで、相手端末の着信を留守番電話サービスセンタに転送し相手にメッセージを録音してもらうことができる。そして、ユーザは駅まで歩いていく途中で例えば携帯電話などを用いて留守番電話サービスセンタに接続し、相手が録音したメッセージを聞くことができる。
なお、相手端末は、ＳＩＰをサポートしているＳＩＰ端末であっても、ＶｏＩＰアダプタ１０が接続された公衆電話回線用の電話機であってもよい。
【００４３】
（メロディ保留）
次に、図５に示すシーケンス図を参照して、ユーザが電話機２０で通話している最中にプッシュボタン「２」を押下した場合に行われるメロディ保留処理の手順について説明する。なお、メロディ保留音は、図示せぬミュージックサーバに記憶されているものとする。
図５に示すステップＳ２０１〜Ｓ２０５までの処理は、図４に示すステップＳ１０１〜Ｓ１０５までの処理と同様である。
ユーザは、通話中に、電話機２０のプッシュボタン「２」を押下する（ステップＳ２０６）。これにより、電話機２０は、「２」を表すＤＴＭＦ信号をＶｏＩＰアダプタ１０に送信する（ステップＳ２０７）。
【００４４】
ＶｏＩＰアダプタ１０が信号送受信部１１を介してＤＴＭＦ信号を受信すると、ＤＴＭＦ認識部１２は、当該ＤＴＭＦ信号を解析し、当該ＤＴＭＦ信号が「２」を表していることを認識する（ステップＳ２０８）。
ＶｏＩＰアダプタ１０の変換部１３は、変換ルールに基づいて、メロディ保留を行うためのＳＩＰメッセージを生成する（ステップＳ２０９）。なお、本実施形態において、セッション制御は発信者が持ちながら、メディアストリームに関してはミュージックサーバと相手端末を直接接続させる必要があるため、３ＰＣＣ（3rd Party Call Control）（RFC3725）のメカニズムを流用することを前提としている。
【００４５】
ＶｏＩＰアダプタ１０のＳＩＰメッセージ送信部１４は、ＳＩＰメッセージ「ＳＩＰ＿ＩＮＶＩＴＥ  ｎｏ  ｓｄｐ」を信号送受信部１５及びＩＰＮＷ３０を介して、図示せぬミュージックサーバに向けて送信する（ステップＳ２１０、Ｓ２１１）。
ミュージックサーバは、ＩＰＮＷ３０を介して、応答メッセージ「２００  ＯＫ」をＶｏＩＰアダプタ１０に返信する（ステップＳ２１２、Ｓ２１３）。
【００４６】
ＶｏＩＰアダプタ１０は、応答メッセージ「２００  ＯＫ」をミュージックサーバから受信すると、ＳＩＰメッセージ「ＳＩＰ＿ＩＮＶＩＴＥ」をＩＰＮＷ３０を介して相手端末へ送信する（ステップＳ２１４、Ｓ２１５）。その後、ＳＩＰの手順に従って、ＶｏＩＰアダプタ１０と相手端末とのセッションは保留されたまま、ミュージックサーバと相手端末とのメディアセッションが確立され、ミュージックサーバから相手端末にメロディ保留音が送信される。
【００４７】
これにより、電話機２０に内臓されている味気ない保留音を利用しなくても、ミュージックサーバに蓄積されているメロディ保留音を利用することが可能となる。
なお、上述した動作例の他に、例えば、図３に示すＤＴＭＦ信号「３」に対応する保留転送サービスを利用する場合には、自宅の電話機２０に着信のあった外出中の家族宛の電話を、当該外出中の家族が携帯端末に転送することも可能となる。
【００４８】
以上説明したように、ＶｏＩＰアダプタ１０は、ユーザのプッシュボタンの押下により電話機２０から送信されたＤＴＭＦ信号を、予め定められた変換ルールに従って変換することにより、所定のＳＩＰサービスを実現するためのＳＩＰメッセージを生成し、当該ＳＩＰメッセージを、ＩＰＮＷ３０を介して送信する。したがって、電話機２０から出力可能な各ＤＴＭＦ信号に対応するＳＩＰサービスを定義しておき、前記ＤＴＭＦ信号を、前記ＳＩＰサービスを実現するためのＳＩＰメッセージに変換する変換ルールを定めておくことで、電話機２０を用いてＳＩＰにより実現される様々なネットワークサービスを利用することが可能となる。
【００４９】
このため、ユーザは従来から利用している公衆電話回線用の電話機２０を買い換えることなく、ＳＩＰを用いた高度な音声サービスを利用することが利用可能となる。
なお、上述した実施形態で説明したＤＴＭＦ信号からＳＩＰメッセージへの変換ルール以外にも、通話中の着信転送、無応答時の着信転送、自動リダイヤル等のＳＩＰサービスへの変換ルールを用意することで、様々なＳＩＰサービスを利用することが可能となる。
【００５０】
また、電話機２０はプッシュ式の電話機２０に限らず、ユーザの異なる操作により異なるＤＴＭＦ信号を出力できる非ＳＩＰ端末であればよい。
また、上述した実施形態では、ＳＩＰについて説明したが、ＳＩＰに限定されることはなく、本発明は、セッションの確立及び切断以外の、転送、保留等の高度音声サービスを可能とする通信プロトコルに適用可能である。
【００５１】
さらに、本実施形態においては、ＶｏＩＰアダプタ１０がＳＩＰの制御を行っている。ＩＭＳではユーザからのＳＩＰによるトリガを受けた後の呼制御をＳＩＰ−ＡＳ５０が代行することを想定したアーキテクチャとなっているが、本実施形態で説明した手順の応用で実現可能である。従って、本発明は本実施形態に限るものではなく、むしろＳＩＰにより実現される様々なサービスを、既存の非ＳＩＰ端末を買い換えることなく利用したいというユーザに、幅広く価値のある発明である。
【符号の説明】
【００５２】
１０  ＶｏＩＰアダプタ
１１  信号送受信部
１２  ＤＴＭＦ認識部
１３  変換部
１４  ＳＩＰメッセージ送信部
１５  信号送受信部
２０  電話機
【図１】
2010220168.tif 000003
【図２】
2010220168.tif 000004
【図３】
2010220168.tif 000005
【図４】
2010220168.tif 000006
【図５】
2010220168.tif 000007